(57)【要約】  灌水手段を備え、施工、管理が容易な壁面緑化用ユニットを提供する。この壁面緑化用ユニットは、前面に複数の植栽ポットを並列に有し垂直に設置されたシートと、灌水配管とからなり、前記シートのうち少なくとも植栽ポットを覆う被覆板を備えてなる。この被覆板は前記シートに対して開閉自在である。
2009098762.tif 000002
【特許請求の範囲】
【請求項１】
前面に複数の植栽ポットを並列に有し垂直に設置されたシートと、灌水配管とからなる壁面緑化用ユニットであって、前記シートのうち少なくとも植栽ポットを覆う被覆板を備えてなる壁面緑化用ユニット。
【請求項２】
前記被覆板が前記シートに対して開閉自在であることを特徴とする請求項１記載の壁面緑化用ユニット。
【請求項３】
前記被覆板が水平方向に並列する植栽ポット群を覆う大きさであり、該植栽ポット群毎に開閉自在であることを特徴とする請求項１記載の壁面緑化用ユニット。
【請求項４】
前記被覆板が、前記植栽ポットとの対向位置に開口部を持つ、略前記シートの大きさの扉であって、前記植栽ポットに対して同時に開閉自在であることを特徴とする請求項１記載の壁面緑化用ユニット。
【請求項５】
金属製または合成樹脂製の枠または平板に不織布製シートを取着してなる請求項１記載の壁面緑化用ユニット。
【請求項６】
前記被覆板が前記枠または平板にヒンジにて固定されてなり、該被覆板が前記シートに対して開閉自在である請求項５記載の壁面緑化用ユニット。
【請求項７】
前記灌水配管が前記被覆板の背面（前記シートと対向する面）に取着されてなる請求項５または請求項６記載の壁面緑化用ユニット。
【請求項８】
前記シートが変形し難い材料からなる平板である請求項１〜４のいずれか記載の壁面緑化用ユニット。
【請求項９】
前記被覆板がパンチングメタルからなる請求項１〜８のいずれか記載の壁面緑化用ユニット。
【請求項１０】
建設現場の仮囲いのための請求項１〜９のいずれか記載の壁面緑化用ユニット。
【請求項１１】
建物外壁用の請求項１〜９のいずれか記載の壁面緑化用ユニット。
【請求項１２】
自立壁用の請求項１〜９のいずれか記載の壁面緑化用ユニット。
【発明の詳細な説明】
【技術分野】
【０００１】
この発明は、灌水手段を備えた壁面緑化用ユニットに関し、特に、灌水配管と植栽ポットを備えた壁面緑化用ユニットに関するものである。
【背景技術】
【０００２】
近年、都会におけるヒートアイランド現象が社会問題になるにつれて、ＣＯ2の削減や反射熱の抑制及び断熱効果による省エネルギー等の効果を期待する屋上緑化システム、壁面緑化システムが注目を集めている。
壁面緑化システムとしては、植物を上から垂らす吊下げ型、これとは逆に上に這わせる登攀型、予め緑化パネルや緑化箱を取り付けるユニット型等の種類が知られているが、施工性、荷重、植物への確実な水遣り、施工直後の緑被率の点で、様々な課題が残されている。【０００３】
例えば、保水性の繊維シートを用い、更に給水機構を備えた壁面緑化用ユニットが公知である（特開２００７−０３７５１９号公報：特許文献１）。
また、壁面板に土壌を充填したポケットを設け、その底部に排水孔を設けた壁面材が公知である（特開２００６−３２２２１９号公報：特許文献２）。【０００４】
更に、壁面緑化ネットを屋上から吊り下げるタイプの壁面緑化ユニット（特開２００６−２０４２３３号公報：特許文献３）や、植栽ユニットをワイヤで昇降させる壁面緑化装置（特開２００４−２４８５５０号公報：特許文献４および特開２００７−２０２４７３号公報：特許文献５）も公知である。【０００５】
【特許文献１】特開２００７−０３７５１９号公報
【特許文献２】特開２００６−３２２２１９号公報
【特許文献３】特開２００６−２０４２３３号公報
【特許文献４】特開２００４−２４８５５０号公報
【特許文献５】特開２００７−２０２４７３号公報
【発明の開示】
【０００６】
本発明は、軽量で植栽ポットを備えた壁面緑化用ユニットにおいて前記課題を解決すると共に、灌水手段を備え、施工、管理が容易な壁面緑化用ユニットを提供することを目的とするものである。
【０００７】
本発明は、前面に複数の植栽ポットを並列に有し垂直に設置されたシートと、灌水配管とからなる壁面緑化用ユニットであって、前記シートのうち少なくとも植栽ポットを覆う被覆板を備えてなることを特徴とする。
前記被覆板は前記シートに対して開閉自在であることが好ましい。
【０００８】
前記被覆板が水平方向に並列する植栽ポット群を覆う大きさであり、該植栽ポット群毎に開閉自在であることが好ましい。
前記被覆板が、前記植栽ポットとの対向位置に開口部を持つ、略前記シートの大きさの扉であって、前記植栽ポットに対して同時に開閉自在であることが好ましい。
【０００９】
前記壁面緑化用ユニットは、金属製または合成樹脂製の枠または平板に不織布製シートを取着してなることが好ましい。
前記被覆板が前記枠または平板にヒンジにて固定されてなり、該被覆板が前記シートに対して開閉自在であることが好ましい。
前記灌水配管が前記被覆板の背面（前記シートと対向する面）に取着されてなることが好ましい。
【００１０】
前記シートが変形し難い材料からなる平板であることが好ましい。
前記被覆板がパンチングメタルからなることが好ましい。
本発明の壁面緑化用ユニットは、建設現場の仮囲い、建物外壁用、または、自立壁用として用いられる。
【００１１】
請求項１および２記載の発明によれば、軽量かつ灌水の施工、管理が容易な壁面緑化用ユニットを実現することができる。また、特に、土壌の交換、植栽の入れ替え時に汚れがちな植栽ポットの汚れが壁面緑化用ユニットの外観に表れることがない。
請求項３および４記載の発明によれば、灌水用の配管は目詰まりや閉塞を生じる虞があるものの、灌水配管へのアクセスが容易になるので、灌水手段の保守管理が容易となる。
請求項５記載の発明によれば、前記効果に加えて、不織布と枠を構成要素とする軽量化の恩恵を享受することができる。
【００１２】
請求項６記載の発明によれば、植栽ポットの外観を汚すことなく、また灌水機能を妨げることなく、土壌の交換、植栽の入れ替えを極めて容易に行うことができる。
請求項７記載の発明によれば、前記被覆板を開閉しても灌水機能が中断することがなく、灌水手段の保守管理が容易となる。
請求項８記載の発明によれば、壁面緑化用ユニットを構成する部材を削減することが可能となる。
【図面の簡単な説明】
【００１３】
【図１】壁面緑化用ユニット１の斜視図である。
【図２】壁面緑化用ユニット１を構成する各部材を分解して示す斜視図である。
【図３】被覆板３０を開けた状態にある壁面緑化用ユニット１の斜視図である。
【符号の説明】
【００１４】
１  壁面緑化用ユニット
１０  シート
１２  植栽ポット
２０  枠
３０  被覆板
３２  ヒンジ
４０  灌水ヘッダー
４２  灌水チューブ
４４  片サドル
【発明を実施するための最良の形態】
【００１５】
以下、本発明に係る壁面緑化用ユニットの最良の実施形態を、図面を参照しながら説明する。
図１は壁面緑化用ユニット１の斜視図であり、図２はこの壁面緑化用ユニット１を構成する各部材（灌水配管を除く。）を分解して示す斜視図であり、図３は構成部材である被覆板３０を開けた状態にある壁面緑化用ユニット１の斜視図である。
図２には、前面に複数の植栽ポット１２を有する不織布製のシート１０と、シート１０を取着するステンレス製の枠２０と、パンチングメタルからなる被覆板３０が、独立して図示されている。【００１６】
シート１０の前面には複数の植栽ポット１２、１２、・・・が縦横方向に並列的に設置され、これらの植栽ポット１２に軽量土壌が充填される。
シート１０の形状と大きさには特別の制限はないが、本実施形態ではシートの厚みを２ｍｍ、横５００ｍｍ×縦９００ｍｍの方形として、縦横１５０ｍｍ×１５０ｍｍの大きさの植栽ポット１２を３列４段、合計１２個配置した。
シート１０の材質は、不織布とすることが好ましく、特に、高強度で、耐光性、耐候性、および防草性を備えた不織布が好ましい。このような不織布としては防草シートが挙げられる。【００１７】
枠２０は、シート１０の形状に合わせた寸法とし、シート１０が枠２０にリベット等にて固定される。
枠２０は、植栽ポット１２に土壌が充填された状態においてシート１０の形状（本実施形態では方形。）を保持する役割を果たすものである。従って、枠２０をこれに代えて平板としても良い。枠２０または平板の材質は、金属または合成樹脂とすることができる。【００１８】
なお、シート１０を不織布に代えて変形し難い材料から構成する場合においては、枠２０を設けることを要さない。
シート１０（および枠２０）は、壁面を構成するために、通常、垂直に設置される。【００１９】
本発明の壁面緑化用ユニット１において特徴的な被覆板３０は、土壌の充填、交換作業において表面が汚れがちな植栽ポット１２を隠すことを第１の目的として設けられる。従って、被覆板３０の大きさは、シート１０のうち少なくとも植栽ポット１２を覆うものであれば良い。
また、被覆板３０は、植栽ポット１２内の植物や土壌の交換作業を妨げるものであってはならない。このため、被覆板３０はシート１０に固定するのではなく、シート１０に対して開閉自在とすることが好ましい。【００２０】
より具体的に説明すれば、被覆板３０の大きさを水平方向に並列する植栽ポット１２、１２群を覆う大きさとし、該植栽ポット１２、１２群毎に開閉自在とすることが１実施形態である。また、被覆板３０を、各植栽ポット１２、１２・・・との対向位置に開口部を持つ、シート１０の大きさに等しい扉として形成し、植栽ポット１２、１２・・・に対して同時に開閉自在とすることも１実施形態である。【００２１】
図３に示す実施形態においては、被覆板３０を水平方向に並列する植栽ポット１２、１２群を覆う大きさとして４段設け、これらの被覆板３０を枠２０にヒンジにて固定することにより、被覆板３０がシート１０に対して開閉自在となるように構成している。【００２２】
被覆板３０は、パンチングメタル、金網などで構成し、ステンレス等の金属製、合成樹脂製とすることが好ましい。
被覆板３０の形状は、図３に示すように並列する植栽ポット群を単純に覆うものでも良いし、何らかの形状、模様、色彩からなる意匠を施したものとしても良い。植栽ポット１２が被覆板３０で隠れることになるので、本発明の壁面緑化用ユニット１において、外観に表れる部分は植物と被覆板３０のみとなり優れた景観を演出することになる。【００２３】
植栽によって壁面緑化を行うシステムでは、灌水が必要である。
本発明の壁面緑化用ユニット１は、図３に示すように灌水配管を備えている。
灌水配管は、図示してない灌水装置（水栓、給水制御バルブ、給水管等からなる。）に接続され、枠２０に沿って設けられた灌水ヘッダー４０と、これから分岐され被覆板３０の背面（シート１０と対向する面）に片サドル４４にて取着された灌水チューブ４２とからなる。【００２４】
この実施形態では、灌水チューブ４２、４２・・・が各植栽ポット１２、１２・・・に配置されるので、ドリップチューブを天場に一本設ける従来の灌水方法と異なり、各植栽ポット１２、１２・・・に確実に灌水すると共に無効水の削減が可能となる。
また、灌水チューブ４２が被覆板３０に取り付けられるので、被覆板３０を開閉しても灌水機能が中断したり、灌水チューブ４２を取り外す必要がない。この点で、従来行われていた植栽シートや植栽ポットの裏側からの灌水方法と比べて、作業性が優れている。【００２５】
灌水チューブ４２は５ｍｍφ程度の可撓性のポリエチレン製とし、灌水チューブ４２の先端部が植栽ポット１２に届くように配置する。同先端部はスパイクで植栽ポット１２内の土壌に固定しておくことが好ましい。
植栽ポット１２への灌水方法としては、本実施形態以外にも、灌水チューブ４２の先端から各植栽ポット１２、１２・・・に向けてシャワー状に散布する方法を採用することができる。【００２６】
本発明の壁面緑化用ユニット１を、例えば建設現場の仮囲いに施工する場合は、予め栽培された植物を植栽ポット１２に植栽した状態の壁面緑化用ユニット１を現場に搬入し、これを仮囲いに取り付けた後、灌水配管をセットする。
【産業上の利用可能性】
【００２７】
本発明の壁面緑化用ユニット１は、緑化すべき壁面の大きさに応じて必要個数を隣接設置することにより、どのような大きさの壁面にも対応することができる。
適用可能な壁面としては、前記した建設現場の仮囲いの他、各種建物の内外壁が挙げられる。この場合、本発明の壁面緑化用ユニット１は非常に軽量であるから、壁面に固定するだけでなく、吊り下げ設置しても良い。
更に、本発明の壁面緑化用ユニット１は、地面や床に台（架台）を介して設置すれば、室内の間仕切り、パーティションボード、垣根等、自立壁としての用途にも適用可能である。
【図１】
2009098762.tif 000003
【図２】
2009098762.tif 000004
【図３】
2009098762.tif 000005
【国際調査報告】
2009098762.tif 000006
2009098762.tif 000007
2009098762.tif 000008
2009098762.tif 000009